(57)【特許請求の範囲】
【請求項１】
第１及び第２のチューナを備え、前記第１のチューナが番組放送及び該番組放送に多重されたデータを含む多重放送電波を受信しながら、前記第２のチューナで前記第１のチューナが受信している同一番組放送の代替局周波数の受信状況をチェックし、前記第１のチューナで該受信状況の良好な代替局周波数を追従動作させる制御手段を有する多重放送用受信機であって、
前記制御手段は、
前記第１のチューナが多重放送を受信している状態で、前記多重放送電波から得られる同一番組放送の代替局周波数リストに基づき前記第２のチューナに同一番組を放送している周波数を順次受信させるとともに、該代替受信周波数の電界強度が前記第１のチューナが受信している周波数の受信電界強度より大きいときに、当該代替周波数に前記第１のチューナがチューニングするように追従動作させる同一番組サーチ手段と、
前記同一番組サーチ手段によりサーチ制御される第２のチューナの受信周波数に基づいて前記代替周波数リストにビート発生が予想されるビート周波数局があるか否かを判別するビート周波数局判別手段と、
前記ビート周波数局判別手段にてビート周波数局があると判別されると、当該周波数の受信状況検出値を、当該受信状況検出値から前記第１のチューナで発生するビートノイズレベルに相当する所定の電界強度分を減じた値に補正する補正手段とを備えることを特徴とする多重放送用受信機。
【請求項２】
前記制御手段は、前記第２のチューナが前記代替周波数リスト基づいて代替周波数を順次受信している状態でビート発生が予想される周波数を受信したときに、前記補正手段で補正した電界強度値と前記第１のチューナの電界強度とを比較して電界強度の大きい周波数に前記第１のチューナが追従動作するように決定する追従動作決定手段を更に備えることを特徴とする請求項１記載の多重放送用受信機。
【請求項３】
前記ビート周波数局判別手段にて代替周波数リスト中にビート発生が予想される周波数局がないと判別されると、前記同一番組サーチ手段が前記第１のチューナを現在受信している放送局の周波数に追従するよう制御することを特徴とする請求項１記載の多重放送用受信機。
【請求項４】
前記制御手段は、前記第２のチューナがビート発生が予想される周波数局の受信時に、当該受信信号の電界強度の比較基準となる第１のチューナの電界強度に所定の値を加算するように構成されることを特徴とする請求項１記載の多重放送用受信機。
【発明の詳細な説明】
【０００１】
【発明の属する技術分野】
本発明は、第１及び第２のチューナを備え、第１のチューナが番組放送及び該番組放送に多重されたデータを含む多重放送電波を受信しながら、第２のチューナで前記多重放送電波から得られる同一番組放送の代替局周波数の受信状況をチェックし、該受信状況の良好な代替局周波数に第１のチューナを追従動作させるようにした多重放送用受信機に関するものである。
【０００２】
【従来の技術】
多重放送には、ＦＭラジオ放送の放送電波に当該番組放送に関連する情報や交通情報などの情報を多重し、受信側が当該多重された情報を受信することにより、当該ラジオ放送の受聴者に対して様々なサービスを提供することができるＲＤＳ（ラジオ・データ・システム）方式がある。
【０００３】
従来、このような多重放送電波を受信するラジオ受信機は、２つのチューナを有し、一方のチューナが番組放送及び該番組放送に多重されたデータを含む多重放送電波を受信している状態で、該多重放送電波から得られる同一番組放送の代替周波数リストを基に、他方のチューナにより同一番組を放送する代替周波数を順次受信して、その受信レベルをチェックし、該受信レベルの良好な同一番組の代替局周波数に一方のチューナを追従動作させるようにしている。
【０００４】
【発明が解決しようとする課題】
ところで、このような同一筐体内に２つのチューナを有する多重放送用ラジオ受信機では、それぞれのチューナが、ＰＬＬ回路により受信周波数＋中間周波数＝局部発振周波数の関係で受信動作すると、ＡＦサーチを行う他方のチューナが代替周波数の受信状況をチェックする際に発生する同期電圧（受信レベル）のダンピングにより、一方のチューナの受信周波数＝他方のチューナの受信周波数＋中間周波数の関係が成り立つ周波数で一方のチューナの音声出力にビートノイズが発生する不具合がある。
【０００５】
例えば、一方のチューナの受信周波数（９３．４ＭＨｚ）より、中間周波数（１０．７ＭＨｚ）だけ離れた周波数（９３．４＋１０．７＝１０４．１ＭＨｚ）に他方のチューナが同調した場合、一方のチューナで生じる（９３．４＋１０．７）＝１０４．１ＭＨｚと他方のチューナの同調により発生する１０４．１ＭＨｚの周波数の微妙な誤差がビートとして現れ、このビートが一方のチューナ側にノイズとして誘導され、ノイズ増加の受信妨害の要因となるほか、一方のチューナで生じる１０４．１ＭＨｚの周波数のために、当該周波数に相当する放送局がないにも関わらず、他方のチューナがあたかも１０４．１ＭＨｚで同調が取れた判定し、かつその受信レベルが他方のチューナの受信レベルより大きいと判断されると、この周波数に一方のチューナを誤追従動作してしまい、余計な判定動作を発生させるという不具合がある。
【０００６】
従来、このようなビートが生じる周波数がＡＦリストにあった場合には、ビートノイズの原因となる周波数を代替局周波数リストから削除し、他方のチューナが当該周波数にチューニングしないようにしている。しかし、このようにすると、上記１０４．１ＭＨｚのような周波数に相当する同一番組の放送局があった場合、当該周波数に一方のチューナを追従動作させることができないという不具合があった。
【０００７】
本発明は、上記のような課題を解決するものであり、同一番組の代替周波数のサーチ時にビート発生が予想される周波数がある場合でも、当該周波数の放送局へのチューナの追従動作を可能にし、かつ誤追従をなくし、ビートによる受信の悪化を低減できる多重放送用受信機を提供することを目的とする。
【０００８】
【課題を解決するための手段】
上記目的を達成するために本発明における請求項１記載の発明は、第１及び第２のチューナを備え、前記第１のチューナが番組放送及び該番組放送に多重されたデータを含む多重放送電波を受信しながら、前記第２のチューナで前記第１のチューナが受信している同一番組放送の代替局周波数の受信状況をチェックし、前記第１のチューナで該受信状況の良好な代替局周波数を追従動作させる制御手段を有する多重放送用受信機であって、前記制御手段は、前記第１のチューナが多重放送を受信している状態で、前記多重放送電波から得られる同一番組放送の代替局周波数リストに基づき前記第２のチューナに同一番組を放送している周波数を順次受信させるとともに、該代替受信周波数の電界強度が前記第１のチューナが受信している周波数の受信電界強度より大きいときに、当該代替周波数に前記第１のチューナがチューニングするように追従動作させる同一番組サーチ手段と、前記同一番組サーチ手段によりサーチ制御される第２のチューナの受信周波数に基づいて前記代替周波数リストにビート発生が予想されるビート周波数局があるか否かを判別するビート周波数局判別手段と、前記ビート周波数局判別手段にてビート周波数局があると判別されると、当該周波数の受信状況検出値を、当該受信状況検出値から前記第１のチューナで発生するビートノイズレベルに相当する所定の電界強度分を減じた値に補正する補正手段とを備えることを特徴とする。
【０００９】
本発明における請求項１記載の発明によれば、ビート周波数局判別手段は、代替周波数リスト中にビート周波数局があるか否かを判別し、ビート周波数局に相当する周波数の放送局があると、補正手段が代替周波数サーチ用として動作する第２のチューナが当該周波数に同調した時に検出される電界強度を、第１のチューナで発生するビートノイズレベルに相当する所定の電界強度分を減じた値に補正し、この補正した後の電界強度値と第１のチューナの受信信号の電界強度とを比較して、電界強度が大きい方の周波数局に第１のチューナを追従動作させるから、同一番組の代替周波数のサーチ時にビート発生が予想される周波数がある場合でも、当該周波数の放送局への第１のチューナの追従動作が可能になり、ビートによる受信の悪化を低減できる。
【００１０】
また、本発明における請求項２記載の発明は、前記制御手段は、前記第２のチューナが前記代替周波数リスト基づいて代替周波数を順次受信している状態でビート発生が予想される周波数を受信したときに、前記補正手段で補正した電界強度値と前記第１のチューナの電界強度とを比較して電界強度の大きい周波数に前記第１のチューナが追従動作するように決定する追従動作決定手段を更に備えることを特徴とする。
【００１１】
本発明における請求項２記載の発明によれば、追従動作決定手段が補正手段で補正した電界強度値と前記第１のチューナの電界強度とを比較して電界強度の大きい周波数に前記第１のチューナが追従動作するように決定するから、同一番組の放送局にビート発生が予想される周波数があった場合、当該周波数の放送局へのチューナの追従動作が可能になる。
【００１２】
また、本発明における請求項３記載の発明は、前記ビート周波数局判別手段にて代替周波数リスト中にビート発生が予想される周波数局がないと判別されると、前記同一番組サーチ手段が前記第１のチューナを現在受信している放送局の周波数に追従するよう制御することを特徴とする。
【００１３】
本発明における請求項３記載の発明によれば、代替周波数リスト中にビート発生が予想される周波数局がないと判別したとき、同一番組サーチ手段が第１のチューナを現在受信している放送局の周波数に追従するよう制御するから、当該周波数への誤追従をなくすことができる。
【００１４】
また、本発明における請求項４記載の発明は、前記制御手段は、前記第２のチューナがビート発生が予想される周波数局の受信時に、当該受信信号の電界強度の比較基準となる第１のチューナの電界強度に所定の値を加算するように構成されることを特徴とする。
【００１５】
本発明における請求項４記載の発明によれば、第１のチューナの電界強度に所定の値を加算することによりビート発生が予想される周波数局への第１のチューナの追従動作を抑制することができる。
【００１６】
【発明の実施の形態】
以下、図面に基づいて本発明の多重放送用受信機について説明する。図１は本発明の多重放送用受信機を適用したＲＤＳ受信機の概略構成を示すブロック図である。
【００１７】
図１において、ＲＤＳ受信機は、複数の放送局から放送される、番組放送及び該番組放送に多重されたＲＤＳデータを含むＦＭ多重放送電波を受けるアンテナ１１を通して受信する第１のチューナ１２及び第２のチューナ１３を備える。
【００１８】
第１のチューナ１２は、アンテナ１１で受信したＦＭ多重放送から希望の局を選択し、該局の受信周波数を中間周波数に変換して増幅するフロントエンド１２１と、このフロントエンド１２１で増幅された中間周波数信号をＦＭ検波するＦＭ検波回路１２２と、このＦＭ検波回路１２２の検波出力信号をオーディオ信号に復調し、ステレオ放送の場合はＬ（左）、Ｒ（右）チャネルのオーディオ信号に分離するマルチプレクサ１２３と、ＦＭ検波回路１２２の検波出力信号から受信中の受信信号の電界強度を検出する電界強度検出回路（Ｓメータ）１２４とを有し、電界強度検出回路１２４で検出された電界強度データはＲＤＳ受信機全体を制御するマイクロコンピュータ（以下、マイコンという）１４に送出される。また、マルチプレクサ１２３の出力端には、パワーアンプ１５を介してスピーカ１６が接続されている。
【００１９】
さらに、第１のチューナ１２には、該第１のチューナ１２にて受信すべき所望の放送電波に対応する周波数の発振信号を発振してフロントエンド１２１に供給するＰＬＬ回路１７が接続されている。このＰＬＬ回路１７は、マイコン１４からの選局指令でＰＬＬ回路１７内のプログラム分周器（図示せず）の分周比データを変更することにより、第１のチューナ１２が所望の放送局の放送電波に同調する周波数に制御する構成になっている。
【００２０】
上記第２のチューナ１３は、アンテナ１１で受信したＦＭ多重放送から代替周波数リスト（ＡＦリスト）を基に代替周波数を順次受信し、該局の受信周波数を中間周波数に変換して増幅するフロントエンド１３１と、このフロントエンド１３１で増幅された中間周波数信号をＦＭ検波するＦＭ検波回路１３２と、このＦＭ検波回路１３２の検波出力信号からラジオデータ信号であるＲＤＳデータ成分のみを抽出するフィルタ１３３と、このフィルタ１３３を通過したＲＤＳデータを復調するＲＤＳデコーダ１３４と、ＦＭ検波回路１３２の検波出力信号から受信中の受信信号の電界強度を検出する電界強度検出回路（Ｓメータ）１３５とを有し、ＲＤＳデコーダ１３４で復調されたＲＤＳデータ及び電界強度検出回路１３５で検出された電界強度データはマイコン１４に送出される。
【００２１】
ＲＤＳデータには、同一番組を放送する放送局の周波数を表す代替局周波数（ＡＦ）リストや番組識別（ＰＩ）コードや番組の内容を示す番組型式（ＰＴＹ）コードなどのデータが含まれており、このＲＤＳデータから得られる代替局周波数リストや番組識別コード等はマイコン１４に接続したメモリ１９に格納される構成になっている。
【００２２】
また、第２のチューナ１３には、該第２のチューナ１３にて受信すべき所望の放送電波に対応する周波数の発振信号を発振してフロントエンド１３１に供給するＰＬＬ回路１８が接続されている。このＰＬＬ回路１８は、マイコン１４からの選局指令でＰＬＬ回路１８内のプログラム分周器（図示せず）の分周比データを変更することにより、第１のチューナ１２が所望の放送局の放送電波に同調する周波数に制御する構成になっている。
【００２３】
上記マイコン１４は、第１のチューナ１２が多重放送を受信している状態で、上記メモリ１９に格納された、第１のチューナ１２が受信している同一番組の放送局の代替局周波数リストに基づいて、マイコン１４からＰＬＬ回路１８に選択指令を出力することにより第２のチューナ１３に同一番組を放送している代替周波数を順次受信し、該受信周波数の受信状態が第１のチューナ１２が受信している周波数の受信状態より良好かを両者の電界強度からチェックし、良好と判定された代替周波数に第１のチューナ１２をチューニングするようにマイコン１４からＰＬＬ回路１７に選択指令を出力することで追従動作させる同一番組サーチ手段１４１と、第１のチューナ１２が受信している受信周波数に近接してビートの発生が予想される周波数の局（以下、ビート周波数局という）が代替局周波数リスト中にあるか否かを判別するビート周波数局判別手段１４２と、このビート周波数局判別手段１４２がビート周波数局を判別した時に当該周波数の電界強度（受信状況検出値）を、該電界強度から第１のチューナ１２で発生するビートノイズレベルに相当する所定の電界強度分を減じた値に補正する補正手段１４３と、この補正手段１４３で補正した電界強度値と第１のチューナ１２の電界強度検出回路１２４で検出した電界強度とを比較して電界強度の大きい周波数に第１のチューナ１２が追従動作するように決定する追従動作決定手段１４４を備えている。
【００２４】
次に、図２に示すフローチャートを参照してマイコン１４が行うＡＦサーチ処理及びビート発生が予想される周波数に対する処理について説明する。
【００２５】
図２に示す処理プログラムがスタートすると、まず、第１及び第２のチューナ１２、１３が受信中かを判定する（ステップＳ１）。ここで、両チューナ１２、１３が受信中でない場合はマイコン１４の処理は終了し、受信動作中である場合は、第２のチューナ１３のＲＤＳデコーダ１３４において、第１のチューナ１２が受信している放送局と同一の番組を放送する代替周波数リスト（以下、ＡＦリストという）をＰＩコードを基にＲＤＳデータから抽出し、このＡＦリストをマイコン１４を通してメモリ１９の所定の領域に格納することにより、ＡＦリストを作成する（ステップＳ２）。
【００２６】
次に、ビート周波数局判別手段１４２では、上記ＡＦリスト中の周波数データと第１のチューナ１２が受信している受信周波数とを比較することにより当該ＡＦリスト中にビート周波数局があるか否かを判定する（ステップＳ３）。例えば第１のチューナ１２の受信周波数±１０．７ＭＨｚに相当する周波数の放送局が存在するかを判別する。ここで、受信周波数±１０．７ＭＨｚに相当する周波数（例えば、９３．４＋１０．７＝１０４．１ＭＨｚ）の放送局がある場合は、同一番組サーチ手段１４１を動作させてＰＬＬ回路１８で第２のチューナ１３のフロントエンド１３１を制御することにより、当該周波数に同調させ、さらにフロントエンド１３１から出力される中間周波数信号をＦＭ検波回路１３２で検波した後、このＦＭ検波回路１３２の検波出力信号から受信中の信号の電界強度を電界強度検出回路１３５で検出する（ステップＳ４）。
【００２７】
次いで、上記受信信号の電界強度を検出した周波数がビート周波数局かを判定し（ステップＳ５）、ビート周波数局である場合は補正手段１４３により、上記検出した電界強度値から第１のチューナ１２で発生するビートノイズレベルに相当する所定の電界強度分（例えば、２０〜３０ｄＢ程度）を減じた値に補正する（ステップＳ６）。その後、追従動作決定手段１４４において、補正手段１４３で補正した電界強度値と第１のチューナ１２の電界強度検出回路１２４で検出した電界強度とを比較し（ステップＳ７）、電界強度が大きい方の周波数局に第１のチューナ１２が追従動作するように決定して第１のチューナ１２を追従動作させる（ステップＳ８）。
【００２８】
すなわち、３０ｄＢ減じることにより補正したビート周波数局の電界強度の方が現在受信している第１のチューナ１２の電界強度より大きい時は、このビート周波数局に相当する放送局の周波数に第１のチューナ１２が同調するように追従動作させる。また、上記と逆に第１のチューナ１２の電界強度方が大きい時は、第１のチューナ１２を現在受信している放送局に保持する。これにより、ビートの影響を低減できるとともに、第１のチューナ１２をビート周波数局に相当する放送局に追従動作させることが可能になる。
【００２９】
一方、ステップＳ５においてビート周波数局でない場合は第１のチューナ１２の受信周波数より中間周波数（１０．７ＭＨｚ）だけ離れたＡＦリストにない周波数であると判断し、その周波数に第２のチューナ１３の電界強度検出回路１３５で検出した電界強度を補正手段１４３により低減し（ステップＳ９）、第１のチューナ１２を現在受信している放送局の周波数に追従するよう制御する（ステップＳ１０）。これにより、第１のチューナ１２がＡＦリストにない代替周波数に誤追従動作するのを防止できる。
【００３０】
また、ステップＳ３においてＡＦリスト中にビート周波数局がないと判定された場合は、通常の受信処理を行う（ステップＳ１１）。すなわち、第１のチューナ１２が多重放送電波を受信している状態で、第１のチューナ１２が受信している放送局と同一番組放送のＡＦリストを基づいて、第２のチューナ１３により同一番組を放送する放送局の受信レベルをチェックし、該受信レベルの良好な同一番組の放送局の代替局周波数に第１のチューナ１２が同調するように追従動作させる。
【００３１】
従って、上記のような本実施の形態におけるＲＤＳ受信機によれば、第１のチューナ１２が受信している放送局と同一番組を放送するＡＦリストに基づいて、ビート周波数局判別手段１４２により、ＡＦリスト中にビート周波数局があるか否かを判別し、ビート周波数局に相当する周波数の放送局がある場合は、代替周波数サーチ用として動作する第２のチューナ１３が当該周波数に同調した時に検出される電界強度を、補正手段１４３により、第１のチューナ１２で発生するビートノイズレベルに相当する所定の電界強度分を減じた値に補正し、この補正した後の電界強度値と第１のチューナ１２の受信信号の電界強度とを比較して、電界強度が大きい方の周波数局に第１のチューナ１２を追従動作させる構成にしたので、同一番組の代替周波数のサーチ時にビート発生が予想される周波数があっても、当該周波数への誤追従をなくすことができるとともに、同一番組の放送局にビート発生が予想される周波数があった場合、当該周波数の放送局へのチューナの追従動作が可能になり、ビートによる受信の悪化を防止できる。
【００３２】
なお、上記の実施の形態では、第２のチューナ１３による同一番組の代替周波数のサーチ時にビート発生が予想される周波数があった場合、当該周波数の受信信号の電界強度から第１のチューナ１２で発生するビートノイズレベルに相当する所定の電界強度分を減ずる場合について説明したが、本発明はこれに限定されず、ビート発生が予想される周波数局の受信時に、比較基準となる第１のチューナ１２の電界強度に所定の値を加算するようにしてもよい。この場合は、ビート発生が予想される周波数局への第１のチューナの追従動作を抑制することができる。
【００３３】
【発明の効果】
以上のように本発明によれば、ビート周波数局判別手段は、代替周波数リスト中にビート周波数局があるか否かを判別し、ビート周波数局に相当する周波数の放送局があるときに補正手段が代替周波数サーチ用として動作する第２のチューナが当該周波数に同調した時に検出される電界強度を、第１のチューナで発生するビートノイズレベルに相当する所定の電界強度分を減じた値に補正し、この補正した後の電界強度値と第１のチューナの受信信号の電界強度とを比較して、電界強度が大きい方の周波数局に第１のチューナを追従動作させるので、同一番組の代替周波数のサーチ時にビート発生が予想される周波数がある場合でも、当該周波数の放送局への第１のチューナの追従動作が可能になり、ビートによる受信の悪化を低減できる。
【００３４】
また、本発明によれば、追従動作決定手段が補正手段で補正した電界強度値と前記第１のチューナの電界強度とを比較して電界強度の大きい周波数に前記第１のチューナが追従動作するように決定するから、同一番組の放送局にビート発生が予想される周波数があった場合、当該周波数の放送局へのチューナの追従動作が可能になる。
【００３５】
また、本発明によれば、代替周波数リスト中にビート発生が予想される周波数局がないと判別した時、同一番組サーチ手段が第１のチューナを現在受信している放送局の周波数に追従するよう制御するから、当該周波数への誤追従をなくすことができる。
【００３６】
また、本発明によれば、第１のチューナの電界強度に所定の値を加算することによりビート発生が予想される周波数局への第１のチューナの追従動作を抑制することができる。
【図面の簡単な説明】
【図１】本発明の多重放送用受信機を適用したＲＤＳ受信機の概略構成を示すブロック図である。
【図２】本発明の実施の形態におけるＲＤＳ受信機の動作手順を示すフローチャートである。
【符号の説明】
１２  第１のチューナ
１３  第２のチューナ
１４  マイコン（制御手段）
１４１  同一番組サーチ手段
１４２  ビート周波数局判別手段
１４３  補正手段
１４４  追従動作決定手段
【図１】
0003883281.tif 000002
【図２】
0003883281.tif 000003